(57)【要約】【課題】撮影した画像を通信の相手方に応じて分類・整理できる携帯通信端末を提供する。【解決手段】Ｓ４では、入力された通信先をアドレス帳に登録する旨の指示が操作部１１から入力されたか否かを判断する。登録の指示が入力された場合はＳ５に移行し、入力された通信先をアドレス帳へ登録する旨を通知する画面を表示部１７に表示する。Ｓ６では、入力された通信先をアドレス帳へ登録する。Ｓ７では、入力された通信先に対応するフォルダである通信先フォルダを作成するか否かを確認する画面を表示部１７に表示する。Ｓ８では、通信先フォルダを作成する指示が操作部１１から入力された否かを判断する。通信先対応フォルダを作成する指示がされた場合はＳ９に移行し、通信先フォルダをメモリカード２に作成する。【選択図】  図２
2005347933.tif 000002
【特許請求の範囲】
【請求項１】
被写体を撮像し、被写体像を表す画像データを出力する撮像部と、
通信の相手方が登録されたアドレス帳を記憶する第１記憶部と、
前記画像データを記憶する第２記憶部と、
前記アドレス帳で管理される通信の相手方に対応したフォルダを前記第２記憶部に作成する記憶制御部と、
を備える携帯通信端末。
【請求項２】
前記アドレス帳から前記画像データを記憶するフォルダに対応する通信の相手方の選択を受け付ける操作部をさらに備え、
前記記憶制御部は前記選択された通信の相手方に対応するフォルダに前記画像データを記憶する請求項１に記載の携帯通信端末。
【請求項３】
前記操作部は前記アドレス帳から前記画像データの送信先となる通信の相手方の選択を受け付け、
前記選択された通信の相手方に対応したフォルダに記憶された画像データを前記選択された通信の相手方に送信する通信部をさらに備える請求項２に記載の携帯通信端末。
【請求項４】
前記アドレス帳には通信の相手方の通信環境がさらに登録され、
前記選択された通信の相手方の通信環境に応じた画像処理を前記選択された通信の相手方に対応したフォルダに記憶された画像データに対して行う画像処理部をさらに備える請求項３に記載の携帯通信端末。
【請求項５】
前記選択された通信の相手方に対応した撮影条件を前記撮像部に設定する設定部をさらに備える請求項２〜４のいずれかに記載の携帯通信端末。
【請求項６】
前記アドレス帳には複数の通信の相手方を分類したグループが通信の相手方としてさらに登録されている請求項１〜５のいずれかに記載の携帯通信端末。
【発明の詳細な説明】
【技術分野】
【０００１】
本発明は携帯通信端末に関し、特に被写体を撮影するカメラ機能を有する携帯通信端末に関する。
【背景技術】
【０００２】
近年、ＣＣＤカメラなどのカメラ機能を備え、カメラにより撮影した画像を外部の記録媒体に大量保存できる携帯通信端末が広く普及している。撮影された画像を外部の記録媒体に記録する際、記録した画像の整理・検索を便利にする技術としては、例えば特許文献１のように分類情報に応じて記録媒体を選択するものがある。特許文献１によると、画像撮影前に分類情報設定手段により、ユーザに分類情報を設定させる。分類情報とは画像データから認識されるパターンであり特定の色や特定の人物の顔などである。次に、分類情報の設定に伴って、フォルダ生成手段により記憶手段内に上記で設定した分類情報に対応したフォルダを生成する。これらの処理が終了した後、ユーザに画像を撮影させる。分類手段により、撮影により得られた画像データに対して分類情報に合致する部分があるか判定を行い、合致する部分が有る場合には画像データを記憶手段内の上記で生成したフォルダ内に記憶し、合致する部分が無い場合には画像データを上記フォルダ以外の場所に記憶する。
【特許文献１】特開２００４−４０５４９号公報
【発明の開示】
【発明が解決しようとする課題】
【０００３】
ところが、上述の特許文献１では、撮影した画像をフォルダで分類情報に従って分類するものの、画像を送る特定の相手方ごとに画像を分類する技術は具体的に開示されていない。本発明はこのような問題点に鑑みてなされたもので、撮影した画像を通信の相手方に応じて分類・整理できる携帯通信端末を提供することを目的とする。
【課題を解決するための手段】
【０００４】
上記課題を解決するため、請求項１に係る発明は、被写体を撮像し、被写体像を表す画像データを出力する撮像部と、通信の相手方が登録されたアドレス帳を記憶する第１記憶部と、前記画像データを記憶する第２記憶部と、前記アドレス帳で管理される通信の相手方に対応したフォルダを前記第２記憶部に作成する記憶制御部と、を備える携帯通信端末を提供する。
【０００５】
この発明によると、アドレス帳で管理される通信の相手方に対応したフォルダを第２記憶部に作成するため、このフォルダで通信の相手方に応じた各種データの分類を行うことができる。なお、第２記憶部は、携帯通信端末に内蔵の記憶媒体（半導体メモリなど）であってもよいし、外部記憶媒体（メモリカードやコンパクトフラッシュなど）であってもよい。あるいは、第１記憶部と第２記憶部とは同一の記憶媒体内に設けられた異なる記憶領域であってもよい。
【０００６】
請求項２に係る発明は、前記アドレス帳から前記画像データを記憶するフォルダに対応する通信の相手方の選択を受け付ける操作部をさらに備え、前記記憶制御部は前記選択された通信の相手方に対応するフォルダに前記画像データを記憶する請求項１に記載の携帯通信端末を提供する。
【０００７】
この発明によると、アドレス帳で管理される通信の相手方に対応したフォルダに画像データが記憶されるため、フォルダで通信の相手方に応じた画像データの分類を行うことができる。
【０００８】
請求項３に係る発明は、前記操作部は前記アドレス帳から前記画像データの送信先となる通信の相手方の選択を受け付け、前記選択された通信の相手方に対応したフォルダに記憶された画像データを前記選択された通信の相手方に送信する通信部をさらに備える請求項２に記載の携帯通信端末を提供する。
【０００９】
この発明によると、アドレス帳で管理される通信の相手方に対応したフォルダに記憶された画像データがその相手方に送信されるため、フォルダで分類された画像データを一括して選択した相手方に送信できる。
【００１０】
請求項４に係る発明は、前記アドレス帳には通信の相手方の通信環境がさらに登録され、前記選択された通信の相手方の通信環境に応じた画像処理を前記選択された通信の相手方に対応したフォルダに記憶された画像データに対して行う画像処理部をさらに備える請求項３に記載の携帯通信端末を提供する。
【００１１】
この発明によると、通信の相手方の通信環境に応じた画像処理（例えば画像圧縮）が行われるため、画像データを通信環境に応じた適切なサイズで送信でき、通信の負荷も低減する。
【００１２】
請求項５に係る発明は、前記選択された通信の相手方に対応した撮影条件を前記撮像部に設定する設定部をさらに備える請求項２〜４のいずれかに記載の携帯通信端末を提供する。
【００１３】
この発明によると、通信の相手方に対応した撮影条件で撮影を行うことができる。
【００１４】
請求項６に係る発明は、前記アドレス帳には複数の通信の相手方を分類したグループが通信の相手方としてさらに登録されている請求項１〜５のいずれかに記載の携帯通信端末を提供する。
【００１５】
上記の発明において、通信の相手方は、複数の通信の相手方を分類したグループであってもよい。
【発明の効果】
【００１６】
この発明によると、アドレス帳で管理される通信の相手方に対応したフォルダを第２記憶部に作成するため、このフォルダで通信の相手方に応じた各種データの分類を行うことができる。
【発明を実施するための最良の形態】
【００１７】
以下、添付した図面を参照し本発明の好ましい実施の形態を説明する。
【００１８】
＜第１実施形態＞
［概略構成］
図１は、本発明の好ましい実施形態に係る携帯通信端末１の概略機能構成図である。携帯通信端末１は、携帯電話機やＰＤＡなどであり、ＬＣＤなどで構成された表示部１７の表示制御を行う表示コントローラ１６、中央演算処理装置（ＣＰＵ）１０、テンキー・通信開始キー・通信終了キー・十字キー・ＲＴＮキー・撮影モード移行キー・撮影開始キー・アドレス帳表示キーなどの操作キーあるいはこれらに相当する各種表示ボタンの押下を検知するタッチパネルからなる操作部１１、ＣＣＤ１２からのアナログ画像をデジタル信号に処理するためのアナログフロントエンドＩＣ１３、アナログフロントエンドＩＣ１３からのデジタル画像信号を処理するＤＳＰ（Digital Signal Processor）等の信号処理ＩＣ１４、他の携帯通信端末などと有線あるいは無線通信を行う通信部１５、メモリカード２からのデータ読み取りやメモリカード２へのデータ記録を行うカードコネクタ１８、記録内容の書き換えが可能なフラッシュメモリ１９、各種データやプログラムを記憶するＲＯＭ２０、ＣＰＵ１０の処理に必要な各種データを記憶するＲＡＭ２１を備えている。ＣＰＵ１０、操作部１１、信号処理ＩＣ１４、通信部１５、表示コントローラ１６、カードコネクタ１８、フラッシュメモリ１９、ＲＯＭ２０、ＲＡＭ２１はそれぞれバス（ＢＵＳ）を介して接続されている。
【００１９】
操作部１８は、上述のように操作キーやタッチパネルなどで構成されており、ＣＣＤ１１による撮影を開始する操作などの所定操作の入力を受け付け、操作が行われた旨を示す信号（以下、操作信号という）をＣＰＵ１０に出力する。ＣＣＤ１２は、操作信号の出力に応じ、被写体の像を受光面に結像させて光電変換し、アナログ画像信号としてアナログフロントエンドＩＣ１３に出力する。アナログ画像信号をデジタル画像データに変換して信号処理ＩＣ１４に出力する。信号処理ＩＣ１４は、画像データの画素数の変更、シャープネス補正、ガンマ補正、コントラスト補正、ホワイトバランス補正などの処理を行う。ＣＰＵ１０は、画像データのサンプリングタイミング制御、ＣＣＤ１２の絞りやシャッタースピードなどの露光制御、フォーカス制御、ズーム制御などを行う。また、ＣＰＵ１０は、絞りやシャッタースピード等の撮影条件をＣＣＤ１２に設定する。ＣＣＤ１２、アナログフロントエンドＩＣ１３、信号処理ＩＣ１４をまとめて撮像部２２という。
【００２０】
通信部１５は、ＣＰＵ１０の制御に従って画像データを符号化し、画像データを搬送波により無線・有線の通信ネットワークを介して他の携帯通信端末やパソコンなどに送信する。制御部２１の行うその他の処理については後述する。なお、携帯通信端末１が携帯電話機の場合、他の電話と無線接続して音声信号を送受信する無線通信回路、音声入力するマイクロフォン、受信した音声信号を音声出力するスピーカなどをさらに備えているが、詳細は省略する。
【００２１】
ＲＯＭ２０は、１又は複数の通信先が登録されたアドレス帳を記憶している。通信先は、携帯通信端末１の通信部１５が接続する通信ネットワークで一意な通信先の識別情報であれば何でもよく、電話番号や電子メールアドレスなどである。複数の通信先を分類した通信先グループを通信の相手方としてアドレス帳に登録してもよい。以下の説明では、特に断らない限り通信先は通信先グループも含むものとする。
【００２２】
［処理の流れ］
以下、ＣＰＵ１０の実行するフォルダ作成処理、画像記憶処理及び画像送信処理の流れを説明する。まず、図２のフローチャートに従ってフォルダ作成処理の流れを説明する。
【００２３】
Ｓ１では、操作部１１から通信先の入力を受け付ける。なお、入力できる通信先は必ずしも１つでなくてもよく、複数の通信先を同時に入力できるようにしてもよい。Ｓ２では、入力された通信先と通信を行う旨の指示が操作部１１から入力されたか否かを判断する。この指示は、例えば操作部１１の一態様である通話開始キー押下や電子メール送信ボタンを表示したタッチパネルの押下で行うことができる。通信を行う旨の指示が入力された場合はＳ３に移行し、入力されなかった場合はＳ４に移行する。Ｓ３では入力された通信先と通信を行う。通信とは、入力された通信先に通信ネットワークを介して通信する態様であれば何でもよい。例えば、入力された通信先が電話番号であれば相手方電話機との通話音声信号の送受信である。入力された通信先が電子メールアドレスの場合は、その電子メールアドレスへの電子メール送信である。
【００２４】
Ｓ４では、入力された通信先をアドレス帳に登録する旨の指示が操作部１１から入力されたか否かを判断する。登録の指示が入力された場合はＳ５に移行し、登録の指示が入力されなかった場合はＳ２に戻る。Ｓ５では、入力された通信先をアドレス帳へ登録する旨を通知する画面を表示部１７に表示する。Ｓ６では、入力された通信先をアドレス帳へ登録する。Ｓ７では、入力された通信先に対応するフォルダである通信先フォルダを作成するか否かを確認する画面を表示部１７に表示する。
【００２５】
Ｓ８では、通信先フォルダを作成する指示が操作部１１から入力されたか否かを判断する。通信先対応フォルダを作成する指示がされた場合はＳ９に移行し、作成する指示がされなかった場合はＳ１に戻る。Ｓ９では、通信先フォルダをメモリカード２に作成する。
【００２６】
以上の処理によると、アドレス帳で管理される通信先に対応したフォルダをメモリカード２に作成するため（Ｓ９）、このフォルダで通信の相手方に応じた各種データ（具体的には画像ファイル）の分類を行うことができる。
【００２７】
次に、図３のフローチャートに従ってフォルダ作成処理の流れを説明する。
【００２８】
Ｓ１１では、撮影モード移行指示が操作部１１から入力されたか否かを判断する。撮影モード移行指示が入力された場合はＳ１２に移行し、撮影モード移行指示がされなかった場合はこの指示を引き続き待機する。撮影モードとは画像撮影を撮影するモードであり、携帯通信端末１のその他の動作モードと区別される。
【００２９】
Ｓ１２では、アドレス帳を表示させる指示が操作部１１から入力されたか否かを判断する。アドレス帳を表示させる指示が入力された場合はＳ１３に移行し、アドレス帳を表示させる指示が入力されなかった場合はＳ１５に移行する。Ｓ１３ではアドレス帳を表示し、Ｓ１４ではアドレス帳に登録された通信先から任意の通信先の選択を操作部１１から受け付ける。なお、後述するが、本ステップで選択された通信先に対応する通信先フォルダに画像データが記憶さる。
【００３０】
Ｓ１５では、撮影開始の指示が操作部１１から入力されたか否かを判断する。撮影開始の指示が入力された場合はＳ１６に移行し、入力されない場合は引き続き撮影開始の指示を待機する。なお、この待機時にＲＴＮキーが押下された場合は画像記憶処理を終了してもよい。Ｓ１６では、ＣＣＤ１２は撮像を開始し、アナログフロントエンドＩＣ１３、信号処理ＩＣを介してデジタル画像データが出力される。この画像データはＲＡＭ２１に一時記憶される。
【００３１】
Ｓ１７では、Ｓ１４において通信先の選択がなされたか否かを判断する。通信先の選択がされている場合はＳ１８に移行し、選択がされていない場合はＳ２０に移行する。Ｓ１８では、Ｓ１４で選択された通信先に対応する通信先フォルダがメモリカード２に作成されているか否かを判断する。対応する通信先フォルダが作成されている場合はＳ１９に移行し、対応する通信先フォルダが作成されていない場合はＳ２０に移行する。
【００３２】
Ｓ１９では、ＲＡＭ２１の画像データをＪＰＥＧファイルなどの画像ファイルに変換し、Ｓ１４で選択された通信先に対応する通信先フォルダにこの画像ファイルを記憶する。Ｓ２０では、対応する通信先フォルダが作成されていない旨を表示部１７に表示する。Ｓ２１では、通信先フォルダ以外の通常フォルダに画像ファイルを記憶する。通常フォルダは予めメモリカード２に作成されている。
【００３３】
以上の処理によると、アドレス帳で管理される通信先に対応したフォルダに画像データが記憶されるため（Ｓ１９）、フォルダで通信先に応じた画像データの分類を行うことができる。
【００３４】
次に、図４のフローチャートに従って画像送信処理の流れを説明する。
【００３５】
Ｓ３１では、アドレス帳を表示させる指示が操作部１１から入力されたか否かを判断する。アドレス帳を表示させる指示が入力された場合はＳ３２に移行し、アドレス帳を表示させる指示が入力されなかった場合はこの指示を引き続き待機する。Ｓ３２ではアドレス帳を表示部１７表示し、Ｓ３３ではアドレス帳に登録された通信先から任意の通信先の選択を操作部１１から受け付ける。
【００３６】
Ｓ３４では、Ｓ３３で選択された通信先に対応する通信先フォルダに記憶された全ての画像ファイルをＳ３３で選択された通信先に一括して送信するか否かの指示の入力を操作部１１から受け付ける。画像ファイルを送信する指示が入力された場合はＳ３６に移行し、画像ファイルを送信する指示が入力されなかった場合はＳ３５に移行する。Ｓ３５では、選択された通信先と通信を行う。
【００３７】
Ｓ３６では、Ｓ３３で選択された通信先に対応する通信先フォルダがメモリカード２に
作成されているか否かを判断する。対応する通信先フォルダが作成されている場合はＳ３８に移行し、作成されていない場合はＳ３７に移行する。Ｓ３７では、選択された通信先に対応する作成されていない旨を表示部１７に表示する。
【００３８】
Ｓ３８では、Ｓ３３で選択された通信先に対応する通信先フォルダに少なくとも１つの画像ファイルが記憶されているか否かを判断する。対応する通信先フォルダに少なくとも１つの画像ファイルが記憶されている場合はＳ４０に移行し、画像ファイルが全く記憶されていない場合はＳ３９に移行する。Ｓ３９では、通信先フォルダに全く記憶されていない旨を表示部１７に表示する。
【００３９】
Ｓ４０では、Ｓ３３で選択された通信先が画像ファイルの送信先として適正であるか否かを判断する。例えば、画像ファイルを電子メールで送信する場合は、Ｓ３３で選択された通信先が電話番号でなく電子メールアドレスであるか否かを判断することで適正であることを判断する。ただし、携帯電話通信キャリアによっては、電話番号の指定で画像ファイルを送信できる場合もあるため、電子メールアドレスのみが画像ファイルの送信先として適正であるとは限らない。Ｓ３３で選択された通信先が画像ファイルの送信先として適正である場合はＳ４１に移行し、適正でない場合はＳ４２に移行する。
【００４０】
Ｓ４１では、Ｓ３３で選択された通信先に対応する通信先フォルダに記憶された画像をＳ３３で選択された通信先に送信する。Ｓ４２では、Ｓ３３で選択された通信先が画像ファイルの送信先として適正でない旨を表示部１７に表示する。
【００４１】
以上の処理によると、アドレス帳で管理される通信先に対応したフォルダに記憶された画像ファイルがその通信先に送信されるため（Ｓ４１）、フォルダで分類された画像ファイルを一括して選択した相手方に送信できる。
【００４２】
なお、上述のフォルダ作成処理に含まれる処理ステップＳ１〜Ｓ９、画像記憶処理に含まれるＳ１１〜Ｓ２１、画像送信処理に含まれるＳ３１〜Ｓ４２をＣＰＵ１０に実行させるためのプログラムはＲＡＭ２１に記憶されている。これらのプログラムはＣＤ−ＲＯＭやＤＶＤなどの各種記録媒体に記録して提供してもよいし、インターネットなどのネットワークを介して配信してもよい。
【００４３】
＜その他の実施形態＞
（１）アドレス帳には各通信先の通信環境（通信速度の高低など）を対応させて登録できるようにしてもよい。そして、上述の画像記憶処理において、選択された送信先に対応する通信環境に応じた撮影条件を設定する処理を行ってもよい。図５はかかる撮影条件の設定処理を第１実施形態の画像記憶処理に追加した場合のフローチャートである。この図において、Ｓ１０１〜Ｓ１０５はそれぞれＳ１１〜Ｓ１５と、Ｓ１１３〜Ｓ１１６はそれぞれＳ１８〜Ｓ２１と同様である。Ｓ１０６はＳ１７と同様に通信先が選択されたか否かを判断し、選択された場合はＳ１０７に移行し、選択されていない場合はＳ１１０に移行する。Ｓ１０７では、選択された通信先に対応する通信環境がアドレス帳に登録されているか否かを判断する。通信環境が登録されている場合はＳ１０８に移行し、登録されていない場合はＳ１０９に移行する。
【００４４】
Ｓ１０８では、選択された通信先に対応する通信環境に応じた撮影条件を撮像部２２に設定する。例えば、通信速度が「低」ならば小サイズのＶＧＡで白黒撮影とする撮影条件を設定し、通信速度が「中」ならばＶＧＡでカラー撮影とする撮影条件を設定し、通信速度が「高」ならばカラー撮影で大サイズのＸＧＡでの撮影条件を設定する。一方、Ｓ１０９では、通常の撮影条件（ＶＧＡでカラー撮影するなど）を設定する。Ｓ１１１では、Ｓ１０８又は１０９で設定された撮影条件で撮影を行ってＳ１１３へ移行する。なお、通信先が選択されていない場合、Ｓ１１０で通常の撮影条件を設定し、Ｓ１１２ではこの撮影条件で撮影し、Ｓ１１６では得られた画像を通常フォルダに記憶する。以上の処理により、通信先の通信環境に応じた画像データを生成することができ、画像送信処理でフォルダ内の画像データを一括送信される通信先の負荷が低減する。
【００４５】
（２）上述と同様にアドレス帳には各通信先の通信環境を対応させて登録できるようにし、第１実施形態の画像送信処理において、選択された送信先に対応する通信環境に応じてＲＡＭ２１の画像データの圧縮処理を行うようにしてもよい。図６は第１実施形態の画像送信処理に画像圧縮処理を追加した場合のフローチャートである。Ｓ１３１〜１４０はそれぞれＳ３１〜４０と同様である。Ｓ１４１では、Ｓ１３３で選択された通信先に対応する通信環境がアドレス帳に登録されているか否かを判断する。通信環境が登録されている場合はＳ１４３に移行し、登録されていない場合はＳ１４４に移行する。Ｓ１４３では、選択された送信先に対応する通信環境に応じて、選択された送信先に対応する送信フォルダ内の画像ファイルを圧縮処理する。Ｓ１４２、Ｓ１４４はそれぞれＳ４２、Ｓ４１と同様である。このように、通信先の通信環境に応じて画像ファイルのサイズ変更を行った上で通信先に送信することができ、通信の負荷が低減する。特に、上述のような撮影条件設定処理を追加した画像記憶処理で得られた画像ファイルに対してもサイズ変更を行うことができる。即ち、撮影時に限らず撮影の後でも画像ファイルサイズを自在に変更でき便利である。
【００４６】
（３）アドレス帳には各通信先の撮影条件を対応させて登録できるようにしてもよい。そして、上述の画像記憶処理において、選択された送信先に対応する撮影条件を設定できるようにしてもよい。図７はかかる撮影条件設定処理を第１実施形態の画像記憶処理に追加した場合のフローチャートである。Ｓ２０１〜Ｓ２０５はそれぞれ第１実施形態のＳ１１〜１５と同様である。Ｓ２０６ではＳ１７と同様通信先が選択されたか否かを判断し、選択された場合はＳ２０７に移行し、選択されていない場合はＳ２０８に移行する。Ｓ２０７では、通信先に対応する撮影条件を撮像部２２に設定する。撮影条件とは上述と同様の概念であり、撮影画像の解像度・色や画像の圧縮率などを含む。Ｓ２０９では、設定された撮影条件で撮影を行う。なお、通信先が選択されていない場合はＳ２０８で通常の撮影条件を設定し、Ｓ２１０では設定された撮影条件で撮影を行い、Ｓ２１４では得られた画像データを通常フォルダに記憶する。Ｓ２１１〜Ｓ２１４はそれぞれＳ１８〜Ｓ２１と同様である。以上の処理により、アドレス帳から選択した通信先に応じた撮影条件を設定して撮影することができる。
【００４７】
（４）通信先フォルダや通常フォルダはメモリカード２以外の各種記憶媒体に作成してもよい。例えば、画像ファイルをフラッシュメモリ１９に記憶する場合は、これに対応して通信先フォルダをフラッシュメモリ１９に作成してもよい。
【図面の簡単な説明】
【００４８】
【図１】携帯通信端末の概略機能構成図
【図２】フォルダ作成処理の流れを示すフローチャート
【図３】第１実施形態に係る画像記憶処理の流れを示すフローチャート
【図４】第１実施形態に係る画像送信処理の流れを示すフローチャート
【図５】本発明の好ましい他の実施形態に係る画像記憶処理の流れを示すフローチャート
【図６】本発明の好ましい他の実施形態に係る画像送信処理の流れを示すフローチャート
【図７】本発明の好ましい他の実施形態に係る画像記憶処理の流れを示すフローチャート
【符号の説明】
【００４９】
２：メモリカード、１９：フラッシュメモリ、２２：撮像部
【図１】
2005347933.tif 000003
【図２】
2005347933.tif 000004
【図３】
2005347933.tif 000005
【図４】
2005347933.tif 000006
【図５】
2005347933.tif 000007
【図６】
2005347933.tif 000008
【図７】
2005347933.tif 000009